(57)【要約】      （修正有） 【課題】ワイヤを使用しないで、マスクと顔を密着させることができるマスクを提供する。【解決手段】マスクは、鼻を覆う上部１０と、顎を覆う下部１１と、上部と下部の間に位置し口を覆う中部１２と、中部に隣接し、一方の頬を覆う第１側部１４ａと、中部に隣接し、他方の頬を覆う第２側部１４ｂと、第１側部に隣接し、一方の耳に掛けられる第１耳部１５ａと、第２側部に隣接し、他方の耳に掛けられる第２耳部１５ｂと、を含み、全体として１つの編物で構成される。【選択図】図１
0003227382.tif 000002
【実用新案登録請求の範囲】
【請求項１】
鼻を覆う上部と、
顎を覆う下部と、
前記上部と前記下部の間に位置し口を覆う中部と、
前記中部に隣接し、一方の頬を覆う第１側部と、
前記中部に隣接し、他方の頬を覆う第２側部と、
前記第１側部に隣接し、一方の耳に掛けられる第１耳部と、
前記第１側部に隣接し、他方の耳に掛けられる第２耳部と、を含み、
全体として１つの編物であるマスク。
【請求項２】
前記中部の編み密度は、前記上部、前記下部より大きい請求項１記載のマスク。
【請求項３】
前記中部は、平編、メリヤス編、天竺編、ジャージーのいずれか１つであり、
前記上部、前記下部は、タック編、引き上げ編のいずれか１つである請求項１または２記載のマスク。
【請求項４】
前記中部の編み密度は、前記上部、前記下部、前記第１側部、前記第２側部より大きい請求項１〜３のいずれか１項に記載のマスク。
【請求項５】
前記第１耳部と前記第２耳部とは、開口の周囲に設けられ、ゴム編、リブ編、畦編、リブ・ニット、クチ編のいずれか１つである請求項１〜４のいずれか１項に記載のマスク。
【請求項６】
前記中部は、前記上部、前記下部、前記第１側部、前記第２側部より湾曲している請求項１〜５のいずれか１項に記載のマスク。
【考案の詳細な説明】
【技術分野】
【０００１】
本願考案は、マスクに関する。
【背景技術】
【０００２】
従来から、各種マスクがあった。特許文献１のマスクでは、マスクを顔に密着させるために、ワイヤを用いている。
【先行技術文献】
【特許文献】
【０００３】
【特許文献１】実用新案登録第３２２０３０４号公報
【考案の概要】
【考案が解決しようとする課題】
【０００４】
しかし、上記の特許文献１のマスクでは、ワイヤを別途、準備用いる必要がある。さらに、マスクにワイヤを通す部分をもうける必要があった。さらに、ワイヤとマスクとを組み合わせる必要があった。
そこで本願の課題は、ワイヤを使用しないで、マスクと顔を密着させることができるマスクを提供することを課題とする。
【課題を解決するための手段】
【０００５】
上記課題を解決するため、鼻を覆う上部と、顎を覆う下部と、上記上部と上記下部の間に位置し口を覆う中部と、上記中部に隣接し、一方の頬を覆う第１側部と、上記中部に隣接し、他方の頬を覆う第２側部と、上記第１側部に隣接し、一方の耳に掛けられる第１耳部と、上記第１側部に隣接し、他方の耳に掛けられる第２耳部と、を含み、全体として１つの編物であるマスクを用いる。
【考案の効果】
【０００６】
本願考案のマスクは、ワイヤを使用せずに、マスクと顔とを密着できる。
【図面の簡単な説明】
【０００７】
【図１】実施の形態のマスクの平面図
【図２】実施の形態の平編の平面図
【図３】実施の形態のタック編の平面図
【図４】実施の形態のスパイラル編の平面図
【図５】実施の形態のゴム編の平面図
【図６】実施の形態のマスクの断面図
【図７】実施の形態のマスクを顔につけた時の断面図
【考案を実施するための形態】
【０００８】
本願考案のマスク１００の正面図を、図１に示す。マスク１００は、繊維（糸）で編まれた１体ものである。マスク１００は、全体として１つの編物である。
マスク１００は、上部１０と、中部１２、下部１１と、第１側部１４ａと、第２側部１４ｂと、第１耳部１５ａと、第２耳部１５ｂと、を含む。領域ごとに編み方を変えている。
【０００９】
＜中部＞
中部１２は、口を覆う部分である。平編で作製される。平編を図２で示す。規則正しく繊維が編まれている。対称性よい編み方である。メリヤス編、天竺編、ジャージーともいう。１列の針で編み目をすべて同方向に引き出して編まれた緯メリヤスの基本組織である。もっとも単純な配列組織の基礎となり、一番多く用いられる組織である。模様なく無地である。平編は、綾編、朱子編、メッシュ編、パイル編、あぜ編でもよい。平編が好ましい。
【００１０】
＜上部、下部＞
上部１０は、鼻を覆う部分である。下部１１は、顎を覆う部分である。タック編で繊維が織られている。タック編を図３で示す。
タック編は、引き上げ編ともいう。あるコースで編み目を脱出させず、次のコースで複数ループを脱出させた組織である。つまり１目ずつきちんと編んでいくのではなく、前ループを成形させず、そのままニードル・ループ（編針で作られたループの山）を保持し、次の段階で、２つのニードル・ループをくぐらせ糸を出し、新ループを編成するものである。ループは、２列以上はなれた緯糸にわたることにある。タックとは未完成ループを作ることを言い、「かぶらせる」という意味である。図３では、タック編３１と平編３２とが繰り返している。繰り返し単位は変更可能である。タック編３１では、２つの交点を飛ばして（飛ばし交点１８）編まれている。１つの交点でも、３つの交点を飛ばして編んでもよい。
【００１１】
特徴としてタックした部分のループがつながり孔のあいたような感じになることで、種々な柄、変化に恵まれ、装飾性に富み、しかも通気性があり、比較的厚地であるため、実用的でもある。べら針、ひげ針のいずれによっても編成される。
タック編は、平編に比べ、伸びが大きいが弾性は変わらないので、鼻、顎にフィットする。
【００１２】
平編３２の編み目と、タック編３１の編み目とは、図３では、２：１であるが、１：１、２：２又は２：１とすることができる。上部１０、下部１１の領域内で、編み目の比率が変えてもよい。上部１０の上側は、上部１０の下側より、タック編３２を増やす、逆に、下部１１の下側は、下部１１の上側より、タック編３２を増やす。こうすれば、より顔、顎にマスク１００がフィットする。
【００１３】
＜側部＞
第１側部１４ａ、第２側部１４ｂは、頬を覆う部分である。スパイラル編で繊維が織られている。スパイラル編を図４で示す。フロート・スティッチ、ウェルト編、沈み編ともいう。ある部分で糸を針にかけずに編地の裏に浮かせた組織である。
スパイラル編３３と平編３２の部分を有する。スパイラル編３３では、１つの交点（飛ばし交点１８）を飛ばして編まれているが、２、３つ飛ばして編んでもよい。
【００１４】
２種類以上の糸を用い、編成中に編針の１部を不動作にし、供糸せず、一方他の糸でループ編成作用を進めると、前糸は編地裏面に直線状に浮き、これを交互に用いて縞や模様を作らせたものである。模様、縞を表す時や地合を緻密にするために応用される。
【００１５】
特徴として、柄の変化に優れていることで、表面に凹凸、縞柄、幾何学模様、市松模様などが表わすことができる。きわめて装飾的で美しい外観を呈することができる。
飛ばした部分間がちじみ、耳部分へカーブする。つまり、第１側部１４ａ、第２側部１４ｂは、耳部へ近づくに従い、上下方向の幅が小さくなる。全体として、台形形状である。弾性もある。
【００１６】
＜耳部＞
第１耳部１５ａは、第１開口１６ａの周りに位置する。第２耳部１５ｂは、第２開口１６ｂの周りに位置する。第１開口１６ａ、第２開口１６ｂに耳が入る。第１耳部１５ａ、第２耳部１５ｂは、それぞれ、耳を囲む。通常は、耳の裏側のみに引っ掛けるが、この耳部は、耳をしっかり囲む。
ゴム編で作製される。ゴム編を図５に示す。ゴム編は、リブ編、畦編、リブ・ニット、クチ編ともいわれる。
【００１７】
２列針で表目と裏目のウェール（ループ、輪）を交互に配列した組織である。特徴として、ウェール方向に、はしるあばら骨状の隆起にある。編地としては裏も表もなく、裏表共に同様の外観を示す。また、弾力性があり、横方向の引っ張りに対して非常に大きな伸縮性を示す。べら針、ひげ針のいずれでも編成できる。
【００１８】
ゴム編とは、棒編物の編み方の一種であり、表編と裏編とから構成され、セータの袖口のように一方向に伸縮自在のものをいう。また、ゴム編部と縦材及び／又は横材とは、ロープ、ワイヤ等で固定的あるいはゴム等で弾性的に連結されていてもよいし、全く連結されていなくてもよい。第１開口１６ａ、第２開口１６ｂの周囲にそって伸縮性を有するように形成される。そのため、耳を保持できる。
【００１９】
＜形状＞
マスク１００の形状（図１）は、以下である。
中部１２は、全体が方形であるが、左右のそれぞれに、縦長の楕円形状があり、それらが隣接し１つの領域となっている。口の周囲を広く覆うことができる。
中部１２は、上部１２、下部１１と第１側部１４ａ、第２側部１４ｂとで囲まれる。
中部１２の上下は、上部１０、下部１１であるので、タック編で、平編が挟まれている。平編からタック編になると、織密度が変わり、平編側があまり、結果、中部１２が立体的に膨らむ。
【００２０】
図６に、実施の形態のマスクの断面図、図７に実施の形態のマスクを顔につけた時の断面図を示す。中部１２が膨らんでおり、口で呼吸がしやすい。
第１側部１４ａ、第２側部１４ｂが上下に長い方形である。頬に密着できる。
上部１０、下部１１は、中央が広く広がったライン状である。広がったところで鼻と密着できる。
【００２１】
第１耳部１５ａ、第２耳部１５ｂは、それぞれ、第１開口１６ａ、第２開口１６ｂを囲む、リング形状である。開口のすべてを囲むのが好ましい。開口に挿入される耳を保持できる。
【００２２】
＜編み密度＞
図２の平編は、すべての部分で編まれているので、編まれている点である編み交点１７が多い。一方、図３のタック編、図４のスパイラル編は、この編み交点１７が少ない。そのため、中部１２は、編み交点１７である編み密度が、周囲の部分より大きい。
ここで、編み密度は、図２〜図４のように同じ繊維（糸）で、同じループ形状（長さ、幅、厚み）で編む場合に、単位体積（面積）あたりの繊維の交差箇所の数である。
逆に言えば、編み交点１７の数に対して、編まれていない交点（図３は２つ、図４は、１つ）の密度が、図２は、図３，４より少ない。
【００２３】
＜糸＞
編み糸（繊維）の材質については特に限定されず、綿糸、綿アクリル混紡糸、毛糸、毛アクリル混紡糸、絹糸、絹アクリル混紡糸、麻糸、麻アクリル混紡糸、ナイロン糸等、マスク１００に採用される編み糸を用いることができる。
＜製法＞
マスク１００は、靴下編み機で、プログラムを入力すれば作製できる。
【００２４】
＜使用＞
なお、マスク１００の内側にフィルターなどを入れ込んで、または、張り付けて、または、固定して使用できる。
＜効果＞
マスクを繊維で一体物である。そのため、容易に製造できる。
顔に密着するところとしないところを編み分けて、口の周辺を浮かせ、周囲を密着させている。結果、楽に長時間使用できる。ワイヤを使用しない。
【産業上の利用可能性】
【００２５】
本願考案のマスクは、病気の予防、対策の靴に対して使用できるマスクである。また、粉体を扱う各種作業にも使用できるマスクである。
【符号の説明】
【００２６】
１０  上部
１１  下部
１２  中部
１４ａ  第１側部
１４ｂ  第２側部
１５ａ  第１耳部
１５ｂ  第２耳部
１６ａ  第１開口部
１６ｂ  第２開口部
１７  編み交点
１８  飛ばし交点
３１  タック編
３２  平編
３３  スパイラル編
１００  マスク
１０１  人
【図１】
0003227382.tif 000003
【図２】
0003227382.tif 000004
【図３】
0003227382.tif 000005
【図４】
0003227382.tif 000006
【図５】
0003227382.tif 000007
【図６】
0003227382.tif 000008
【図７】
0003227382.tif 000009